(57)【特許請求の範囲】
【請求項１】
１又は複数の遊技機を備えた各遊技機島にそれぞれ設置される呼出装置において、
遊技機島は、各遊技機が並設された列を備え、
要求手段と、表示装置と、解除手段とを有し、
要求手段は、各遊技機に対応する位置に設けられ、要求信号を送信可能なものであり、
表示装置は、各要求手段からの要求信号を受信し、当該要求信号に対応する遊技機が属する列を特定して表示可能なものであり、所定の要求信号を送信してから所定時間が経過すると、表示状態を変更可能な機能を備え、
解除手段は、表示装置において表示された遊技機の列を選択的に消去可能なものであり、各遊技機島のそれぞれに表示装置が設けられており、
表示状態が変更されるとき、前記所定の要求信号に対応する遊技機が属する遊技機の列のみが表示された状態となることを特徴とする呼出装置。
【請求項２】
前記表示装置は、遊技機の列を複数表示する場合、優先順位をつけて表示することが可能であることを特徴とする請求項１に記載の呼出装置。
【請求項３】
前記遊技機島は、各遊技機が並設された列を有し、当該列の端部であって列に対してほぼ直交する方向に配された外壁たる妻板が設置されており、表示装置は妻板に設置されていることを特徴とする請求項１又は２に記載の呼出装置。
【請求項４】
妻板は、少なくとも遊技機が位置する縁端側が張り出した張出部を有し、表示装置は、妻板における表裏面にそれぞれ配置されていることを特徴とする請求項３に記載の呼出装置。
【請求項５】
前記解除手段は、カードを読み取り可能な磁気検出装置であり、
前記表示装置は、外面表示器を備え、
前記妻板の外面には、前記外面表示器と前記解除手段が設けられており、
前記解除手段は、前記外面表示器よりも遊技機が位置する縁端側に位置していることを特徴とする請求項１乃至４のいずれかに記載の呼出装置。
【請求項６】
前記解除手段は、ワイヤレス式の送信装置で構成されることを特徴とする請求項１乃至４のいずれかに記載の呼出装置。
【発明の詳細な説明】
【技術分野】
【０００１】
本発明は呼出装置に関し、さらに詳細には、複数の遊技機を備えた各遊技機群に設置される呼出装置に関する。
【背景技術】
【０００２】
パチンコやスロットマシン等の遊技機を複数備えた遊技場において、遊技機１台に対して電飾装置が１台設けられている。電飾装置は、係員を呼び出すための呼出ボタンや呼出ボタンを押した際及び大当たりの際に連動して点灯する呼出ランプ等を有している。
また、複数の遊技機を備えた遊技機群は、呼出ランプに連動して点灯等を可能なコーナーランプを、遊技機群の両端部に位置する妻板に備えている。遊技機群から離れた位置にいる係員は、コーナーランプの点灯等の状態を視認することで、その遊技機群内に要求を出した利用者がいることを察知できる。特許文献１にも、妻板にコーナーランプを備えた呼出表示システムが開示されている。
【０００３】
特許文献１に記載の呼出表示システムでは、コーナーランプに加えて、遊技機１台に対して、幕板ランプと呼ばれる誘導ランプが１台設置されている。この誘導ランプに点灯させる色を変化させることで、要求を出した遊技機まで係員を誘導できるとされている。例えば、８台の遊技機が横並びとなった遊技機群において、右から２台目の遊技機が呼出ランプを押した場合、その遊技機に対応する誘導ランプは、赤色に点灯する。この赤色は、「要求を出した遊技機」ということを意味している。
【０００４】
この時、右から１台目の誘導ランプは緑色に点灯する。この緑色は「左側に呼出スイッチを押した利用者がいる」ということを意味している。
一方、右から３台目から８台目までの誘導ランプは黄色に点灯する。この黄色は「右側に呼出スイッチを押した利用者がいる」ということを意味している。つまり、コーナーランプを視認した係員が、誘導ランプの誘導に沿って行くだけで、目的とする遊技機に早く辿り着くことが可能である、とされている。
【先行技術文献】
【特許文献】
【０００５】
【特許文献１】特開２００８−２４６１９８号公報
【発明の概要】
【発明が解決しようとする課題】
【０００６】
ところが、特許文献１に記載された呼出表示システムでは、例えば遊技機群の両側端部から離れた位置にそれぞれ係員がいる場合に、両側のコーナーランプ並びに誘導ランプに従って左右から誘導された係員同士が、目的とする遊技機で鉢合わせをしてしまう恐れがある。これは、コーナーランプや誘導ランプを見ただけでは、要求者に対して係員が未対応かどうかを判別できないからである。すなわち、呼出ランプの解除を行うまでは、コーナーランプが点灯等をし続けるため、何人もの係員が一つの遊技機群に集まってしまう可能性がある。このようなシステムでは、複数の係員に無駄な動きが生じ、効率が悪い。
【０００７】
上記した現状に鑑み、本発明は、複数の係員に無駄な動きが生じることを抑制可能な呼出装置の提供を目的とする。
【課題を解決するための手段】
【０００８】
上記課題を解決するための請求項１に記載の発明は、１又は複数の遊技機を備えた各遊技機島にそれぞれ設置される呼出装置において、遊技機島は、各遊技機が並設された列を備え、要求手段と、表示装置と、解除手段とを有し、要求手段は、各遊技機に対応する位置に設けられ、要求信号を送信可能なものであり、表示装置は、各要求手段からの要求信号を受信し、当該要求信号に対応する遊技機が属する列を特定して表示可能なものであり、所定の要求信号を送信してから所定時間が経過すると、表示状態を変更可能な機能を備え、解除手段は、表示装置において表示された遊技機の列を選択的に消去可能なものであり、各遊技機島のそれぞれに表示装置が設けられており、表示状態が変更されるとき、前記所定の要求信号に対応する遊技機が属する遊技機の列のみが表示された状態となることを特徴とする呼出装置である。
【０００９】
本発明で採用する「表示装置」は、各要求手段からの要求信号を受信し、当該要求信号に対応する遊技機群を特定して表示できる。例えば、一つの遊技機群に設置された遊技機を利用する遊技者が、要求手段を用いて要求信号を出した場合、その遊技機群に設けられた表示装置は当然として、他の遊技機群に設けられた各表示装置にも、要求信号が送られる。つまり、全ての表示装置において、要求者（要求信号を出した遊技者）が遊技する遊技機群が表示される。
【００１０】
その結果、係員は、表示装置を見るだけで、どの遊技機群に要求者がいるかを把握できる。そして、要求者がいる遊技機群に最初に到着した係員は、解除手段を用いることで、表示装置において表示された遊技機群を選択的に消去できる。
すなわち、他の遊技機群に設置された表示装置を見ている係員は、表示装置において表示された遊技機群が消えたことを確認することで、要求者がいる遊技機群に行く必要がないと判断できる。結果的に、その他の係員が別の要求に応じることができるため、遊技場のサービス向上を図ることができる。
【００１１】
請求項２に記載の発明は、前記表示装置は、遊技機の列を複数表示する場合、優先順位をつけて表示することが可能であることを特徴とする請求項１に記載の呼出装置である。
【００１２】
表示装置に表示される遊技機群が複数発生した場合、同一の条件で表示された遊技機群を確認しただけでは、どの遊技機群が最先なのかが判断できない。
本発明で採用する「表示装置」は、所定の条件が満足されると、表示状態を変更可能な機能を備えている。例えば、一定の時間が経過すると表示された遊技機群を点灯状態から点滅状態にすることや、表示された遊技機群の色を変化させること、或いは表示された遊技機群の大きさを変えること等、任意に設定できる。このことにより、表示装置に表示された複数の遊技機群に優先順位をつけることができる。
【００１３】
請求項３に記載の発明は、前記遊技機島は、各遊技機が並設された列を有し、当該列の端部であって列に対してほぼ直交する方向に配された外壁たる妻板が設置されており、表示装置は妻板に設置されていることを特徴とする請求項１又は２に記載の呼出装置である。
【００１４】
本発明で採用する「表示装置」は、各遊技機が並設された列に対してほぼ直交する方向に配された外壁たる妻板に設置されている。係員は通常、遊技者の邪魔にならない遊技機群の外側で待機することが多い。つまり、妻板に設置された表示装置は、遊技機群の外側にいる係員にとって確認し易い位置にあり、好適である。
【００１５】
請求項４に記載の発明は、妻板は、少なくとも遊技機が位置する縁端側が張り出した張出部を有し、表示装置は、妻板における表裏面にそれぞれ配置されていることを特徴とする請求項３に記載の呼出装置である。
【００１６】
係員は、各遊技機が並設された遊技機群の内側にいたり、遊技機群の外側にいたりと、忙しく動き回っていることが多い。そのため、係員はどちらからでも表示装置を確認できることを望んでいる。
本発明で採用する「表示装置」は、張出部を有した妻板の表裏面にそれぞれ配置されている。張出部は、妻板における遊技機が位置する縁端側に設けられている。つまり、係員は、遊技機群の内側と外側の両方から表示装置を確認できる。
【００１７】
請求項５に記載の発明は、前記解除手段は、カードを読み取り可能な磁気検出装置であり、前記表示装置は、外面表示器を備え、前記妻板の外面には、前記外面表示器と前記解除手段が設けられており、前記解除手段は、前記外面表示器よりも遊技機が位置する縁端側に位置していることを特徴とする請求項１乃至４のいずれかに記載の呼出装置である。
【００１８】
また、前記解除手段は、非接触式の磁気リーダーで構成されていてもよい。
本発明で採用する「非接触式の磁気リーダー」は、磁気カードや磁気ＩＣカードを読み取り可能な磁気検出装置である。この磁気リーダーを用いることで、係員は磁気カードをかざすだけで、表示装置に表示された遊技機群を消去可能である。このことにより、係員以外の部外者等によって勝手に遊技機群が消去されることがなく、トラブルの発生を防止できる。
【００１９】
さらに、磁気ＩＣカードに係員の名前やＩＤ番号等を記憶させておくことにより、磁気リーダーで磁気ＩＣカードを読み取るだけで、表示装置に対応した係員の名前やＩＤ番号等を表示可能である。このことにより、どの係員が対応したか、表示装置を見るだけで知ることができる。
【００２０】
請求項６に記載の発明は、前記解除手段は、ワイヤレス式の送信装置で構成されることを特徴とする請求項１乃至４のいずれかに記載の呼出装置である。
【００２１】
例えば、解除手段が遊技機群の妻板に備え付けられている場合、係員が妻板に到着するまでは、要求信号を解除できない。そのため、到着に手間取ってしまうと、複数の係員が呼び出されてしまうことがあり、無駄な動きが生じる。
本発明で採用する「ワイヤレス式の送信装置」は、解除信号等を送信可能なリモコン装置である。つまり、対応可能と判断した係員は、その場からリモコン装置を用いることで、表示装置に表示された遊技機群を消去可能であり、応答性に優れる。その結果、複数の係員が呼び出されてしまうことを防止できる。
【発明の効果】
【００２２】
本発明の呼出装置によれば、複数の係員に無駄な動きが生じることを抑制可能である。
【図面の簡単な説明】
【００２３】
【図１】本発明の実施形態に係る呼出装置を備えた遊技島が複数設置された遊技場を示す斜視図である。
【図２】図１の遊技場を示す平面図である。
【図３】各遊技島に設けられた呼出装置を示すブロック図である。
【図４】本発明の実施形態に係る呼出装置を示すブロック図である。
【図５】妻板を示す正面図であり、（ａ）は内面（表面）であり、（ｂ）は（ａ）の反対の外面（裏面）である。
【図６】１箇所の遊技島の１台の要求装置から要求信号が出された場合の、呼出装置の動作状態を示す説明図であり、（ａ）は要求信号が発生し表示ランプが点灯した状態、（ｂ）は外面表示器と内面表示器とコーナーランプが点灯した状態、（ｃ）は要求信号が解除され外面表示器と内面表示器とコーナーランプが消灯した状態、（ｄ）は表示ランプが消灯した状態である。
【図７】２箇所の遊技島においてそれぞれ１台の要求装置から要求信号が出された場合の、呼出装置の動作状態を示す説明図であり、（ａ）は外面表示器と内面表示器に２つの遊技機群が表示された状態、（ｂ）は（ａ）の状態から１つの遊技機群が削除された状態、（ｃ）は（ｂ）の状態から残り１つの遊技機群が削除された状態、（ｄ）は残りの表示ランプが消灯した状態である。
【図８】１箇所の遊技島において２台の要求装置から要求信号が出された場合の、呼出装置の動作状態を示す説明図であり、（ａ）は外面表示器と内面表示器に１つの遊技機群が表示された状態、（ｂ）は１つの内面表示器に遊技機群が表示された状態、（ｃ）は１つの表示ランプが消灯した状態、（ｄ）は残りの表示ランプと１つの内面表示器が消灯した状態である。
【図９】外面表示器の表示状態を示す正面図であり、（ａ）は遊技機群Ａ〜Ｆが全表示された状態、（ｂ）は（ａ）の中で所定の時間が経過した遊技機群Ａのみが表示された状態である。
【図１０】本発明の別の実施形態に係る呼出装置を示す正面図であり、（ａ）は外面表示器、（ｂ）は内面表示器を示す。
【図１１】解除装置として送信装置を用いた例を示す正面図である。
【発明を実施するための形態】
【００２４】
以下、本発明の実施形態に係る呼出装置について、図面を参照しながら詳細に説明する。なお、以下の説明は、実施形態の理解を容易にするためのものであり、これによって、本発明が制限して理解されるべきではない。
【００２５】
図１に示す遊技場２０には、３つの遊技島２が並列に設置されている。
遊技島２は、図１に示すように、従来より公知のパチンコ機（遊技機）５が複数設置された群である。具体的には、本実施形態においては、各遊技島２は、６台の遊技機５が並設された列を２列ずつ備えた構成とされている。
なお、以下の説明においては、理解を容易にするため、複数の遊技機５の列を図２に示す上側の列から順番に、遊技機群Ａ〜Ｆと称している。
【００２６】
また、遊技島２は、内部構造を目隠しするように、外壁として化粧板６０等が設けられている。化粧板６０は、遊技機５が設置された位置を除く箇所に設けられており、図１に示すように、遊技場２０の天井側に配された天板６１と、遊技機５が列状に並べられた壁面側に配された幕板６２、ランプ板６３、腰板６４、幅木６５と、遊技機５の列方向の端部において、列方向にほぼ直交するように配された妻板７である。
【００２７】
妻板７は遊技島２を構成する外壁であり、１つの遊技島２において、妻板７同士が向き合う面が内面３（表面）であり、その内面３の反対の面が外面４（裏面）である。妻板７は、図２に示すように、張出部７０を有している。張出部７０は、遊技機５が位置する縁端側に張り出している。
そして、図１に示すように、各遊技島２においては、ホールスタッフ（係員）を呼び出す呼出機能や、遊技機５の大当たり当選を演出する大当たり演出機能等を備えた呼出装置１が設置されている。
【００２８】
本実施形態では、呼出装置１は、ランプ板６３に取り付けられ要求信号を発信可能な要求装置６と、天板６１に取り付けられ要求装置６からの要求信号を受信して表示装置１２等を制御可能な制御装置１５と、妻板７に取り付けられ制御装置１５からの指令信号を受信して情報を表示する表示装置１２と、表示装置１２に表示された情報を削除可能な解除装置１６，１７とを備えている。すなわち、要求装置６と、表示装置１２と、制御装置１５と、解除装置１６，１７とは、図３に示すように、電気的に接続されている。そして、本実施形態では、各遊技島２に設置された呼出装置１同士は、制御装置１５によって電気的に接続されている。
なお、要求装置６は、図２に示すように、遊技機５と同じく、遊技島２の長手方向に延びる面に６台ずつ設けられている。遊技機群Ａ，Ｃ，Ｅにはそれぞれ要求装置６ａ〜６ｆが位置し、遊技機群Ｂ，Ｄ，Ｆにはそれぞれ要求装置６ｇ〜６ｌが位置している。
【００２９】
表示装置１２は、図４に示すように、外面表示器８と、内面表示器９，１０と、コーナーランプ１８，１９を備えている。
内面表示器９，１０は、図５（ａ）に示すように、妻板７の内面３（表面）に位置している。詳述すると、内面表示器９，１０は、遊技島２よりはみ出した張出部７０にそれぞれ位置している。換言すれば、遊技島２を挟んで内面表示器９，１０が対向配置されている。
一方、外面表示器８とコーナーランプ１８，１９は、妻板７の外面４（裏面）に位置している。詳述すると、妻板７の外面４の略中央に外面表示器８が位置し、その左右にコーナーランプ１８，１９がそれぞれ位置している。
【００３０】
外面表示器８と、内面表示器９，１０は、文字や画像、映像等を表示可能な表示装置であり、ドットマトリクスＬＥＤや液晶表示器、タッチパネル表示器等で構成されることが好ましい。或いは、７セグメントＬＥＤで構成しても構わない。
外面表示器８は、図５（ｂ）に示すように、四角形状であり、遊技機群Ａ〜Ｆの数に合わせて、表示画面が３行２列に区切られている。そのため、外面表示器８は、遊技機群Ａ〜Ｆを表示させる指令信号が入力されると、受信した指令信号に基づいて、上の列の左端から順番に詰めて表示する。外面表示器８の上の列に表示できなかった指令信号は、下の列の左端から順番に詰めて表示される。つまり、外面表示器８は、上の列と下の列と合わせて、６つの指令信号を到着した順番に表示可能である。すなわち、６つの指令信号には優先順位がつけられる。
内面表示器９，１０は、図５（ａ）に示すように、長方形状であり、遊技機群Ａ〜Ｆの数に合わせて、表示画面が１行６列に区切られている。そのため、内面表示器９，１０は、受信した指令信号に基づいて、上から順番に詰めて表示する。つまり、内面表示器９，１０は、６つの指令信号を到着した順番に表示可能である。すなわち、６つの指令信号には優先順位がつけられる。
【００３１】
コーナーランプ１８，１９は、複数の色の表示ランプを縦に積層した複合ランプであり、回転灯等を組み込んでも構わない。
また、コーナーランプ１８，１９の下側には、解除装置１６，１７（解除手段）が設けられている。解除装置１６，１７は、解除信号を送信可能なものであり、非接触式の磁気リーダー２８で構成されている。磁気リーダー２８は公知の磁気読取装置であり、後述するＩＣカード２７を近接させることで、解除信号を送信可能なものである。
なお、解除装置１６，１７は、それぞれ遊技機群Ａ，Ｂ（Ｃ，Ｄ及びＥ，Ｆ）に対応して設けられている。
【００３２】
要求装置６は、図４に示すように、要求ボタン１３（要求手段）と、表示ランプ１４とを有している。要求ボタン１３は、従来公知の押しボタンスイッチであり、要求信号を送信可能なものである。要求ボタン１３は自己保持可能であり、１度押すとＯＮ状態を保持し、もう１度押すとＯＦＦ状態となる。つまり、要求ボタン１３がＯＮの間、要求信号は出され続ける。なお、表示ランプ１４は、複数の色を表示可能なランプであることが好ましい。
【００３３】
制御装置１５は、要求ボタン１３から出された要求信号に基づいて、表示ランプ１４や表示装置１２をコントロールするためのものである。
制御装置１５は、Ｉ／Ｏ回路２１，２２と、マイクロコントローラ２３と、通信回路２４とを有している。
【００３４】
マイクロコントローラ２３は、従来公知のＣＰＵと３５、ＲＯＭ（フラッシュメモリ等）３６と、ＲＡＭ３７と、複数の入出力ポートと、内部バス等を備えた集積回路である。マイクロコントローラ２３は、プログラム等を保存可能であって、プログラムに基づいて周辺装置を制御可能である。マイクロコントローラ２３にはプログラムが内蔵されており、各要求装置６から出された要求信号を受けると、どの遊技機群Ａ〜Ｆから出された信号かを判断し、該当する遊技機群Ａ〜Ｆを表示させる指令信号に変換して、表示装置１２に送信する。なお、受信した要求信号は、マイクロコントローラ２３に到着した順番に記憶されて、その順番を保ったまま、指令信号に変換される。
【００３５】
Ｉ／Ｏ回路２１は、要求装置６とマイクロコントローラ２３との間で、インピーダンスの変換やＡ／Ｄ変換、信号の伝達等を行うためのインターフェース回路である。Ｉ／Ｏ回路２１は、表示ランプ１４を駆動可能なドライバ回路等を含んでいる。
Ｉ／Ｏ回路２２は、マイクロコントローラ２３と表示装置１２及び解除装置１６との間で、インピーダンスの変換やＡ／Ｄ変換、信号の伝達等を行うためのインターフェース回路である。Ｉ／Ｏ回路２２は、表示装置１２を駆動可能なドライバ回路等を含んでいる。
【００３６】
通信回路２４は、他の制御装置１５と信号の送受信が可能な回路である。図３に示すように、各遊技島２に設置された呼出装置１は、制御装置１５同士で接続されており、相互に信号の送受信が可能である。つまり、制御装置１５は、他の遊技島２に設置された制御装置１５に対し、通信回路２４を通じて遊技機群Ａ〜Ｆを表示させる指令信号を送信可能である。
【００３７】
つぎに、本発明の実施形態に係る呼出装置１の動作状態について説明する。
まず、１箇所の遊技島２の１台の要求装置６から要求信号が出された場合について、図６（ａ）〜（ｄ）を用いて説明する。なお、図６（ａ）〜（ｄ）においては、外面表示器８と略同じ動作を行う内面表示器９，１０の図示を省略している。
【００３８】
図６（ａ）において、要求者３１が、遊技機群Ａに位置する要求装置６ａから呼出ボタン１３を押したことによって、要求信号が発生する。発生した要求信号は、制御装置１５に到達する。その結果、制御装置１５より、表示ランプ１４を点灯させる指令信号が送信され、表示ランプ１４が点灯する。さらに、制御装置１５より、遊技機群Ａを表示させる指令信号が表示装置１２に送信される。
【００３９】
図６（ｂ）において、指令信号に基づいて遊技機群Ａに対応するコーナーランプ１８が点灯し、各妻板７に設けられた外面表示器８及び内面表示器９，１０に「Ａ」が表示される。その結果、遊技場２０内にいる係員に遊技機群Ａから要求信号が出されたことが報知される。
【００４０】
図６（ｃ）において、遊技機群Ａに対応する解除装置１６（磁気リーダー２８）に係員４１がＩＣカード２７を近づける。ＩＣカード２７は、ワンチップマイコンが内蔵された解除信号を発生可能なものである。すると、解除装置１６から解除信号が制御装置１５に送信され、制御装置１５から出ていた遊技機群Ａを表示させる指令信号が消去される。その結果、遊技機群Ａに対応するコーナーランプ１８が消灯し、外面表示器８及び内面表示器９，１０に表示されていた「Ａ」が消灯する。
【００４１】
図６（ｄ）において、係員４１が、遊技機群Ａに位置する要求装置６ａに駆け付け、呼出ボタン１３を押すことによって、要求信号が消去される。その結果、制御装置１５からの、表示ランプ１４を点灯させる指令信号が消去され、表示ランプ１４が消灯する。
以上が１箇所の遊技島２の１台の要求装置６から要求信号が出された場合の、呼出装置１の動作状態である。
【００４２】
つぎに、２箇所の遊技島２においてそれぞれ１台の要求装置６から要求信号が出された場合について、図７（ａ）〜（ｄ）を用いて説明する。図７（ａ）〜（ｄ）の説明においては、図６（ａ）〜（ｄ）で説明した動作内容と略同一のものは省略する。なお、図７（ａ）〜（ｄ）においても、外面表示器８と略同じ動作を行う内面表示器９，１０の図示を省略している。
【００４３】
図７（ａ）において、遊技機群Ｂに位置する要求装置６ｈと、遊技機群Ｆに位置する要求装置６ｋの表示ランプ１４が点灯している。この時、遊技機群Ｂに対応するコーナーランプ１９と、遊技機群Ｆに対応するコーナーランプ１９とが点灯し、各妻板７に設けられた外面表示器８には、上の列の左端から順番に「Ｂ」と「Ｆ」が詰めて表示されている。これは、遊技機群Ｂからの要求信号が先で、その次に遊技機群Ｆから要求信号が出されたことを示すものである。なお、内面表示器９，１０についても同様である。
【００４４】
図７（ｂ）において、遊技機群Ｆに対応する解除装置１７（磁気リーダー２８）に係員４２がＩＣカード２７を近づけることにより、遊技機群Ｆに対応するコーナーランプ１９が消灯し、外面表示器８及び内面表示器９，１０に表示されていた「Ｆ」が消灯する。
【００４５】
図７（ｃ）において、係員４２が、遊技機群Ｆに位置する要求装置６ｋに駆け付け、呼出ボタン１３を押すことによって、表示ランプ１４が消灯する。
一方、遊技機群Ｂに対応する解除装置１７（磁気リーダー２８）に係員４３がＩＣカード２７を近づけることにより、遊技機群Ｂに対応するコーナーランプ１９が消灯し、外面表示器８及び内面表示器９，１０に表示されていた「Ｂ」が消灯する。
【００４６】
図７（ｄ）において、係員４３が、遊技機群Ｂに位置する要求装置６ｈに駆け付け、呼出ボタン１３を押すことによって、表示ランプ１４が消灯する。
以上が２箇所の遊技島２において要求装置６からそれぞれ１台ずつ要求信号が出された場合の、呼出装置１の動作状態である。なお、３箇所の遊技島２の要求装置６から要求信号が出された場合も同様であるので説明を省略する。
【００４７】
さらに、１箇所の遊技島２において２台の要求装置６から要求信号が出された場合について、図８（ａ）〜（ｄ）を用いて説明する。図８（ａ）〜（ｄ）の説明においては、図６（ａ）〜（ｄ）又は図７（ａ）〜（ｄ）で説明した動作内容と略同一のものは省略する。
【００４８】
図８（ａ）において、遊技機群Ｂに位置する要求装置６ｇ，６ｊの表示ランプ１４が点灯している。この時、遊技機群Ｂに対応するコーナーランプ１９が点灯し、各妻板７に設けられた外面表示器８には、上の列の左端に「Ｂ」が表示されている。なお、内面表示器９，１０についても同様である。
【００４９】
図８（ｂ）において、遊技機群Ｂに対応する解除装置１７（磁気リーダー２８）に係員４１がＩＣカード２７を近づけることにより、遊技機群Ｂに対応するコーナーランプ１９が消灯し、外面表示器８及び内面表示器９に表示されていた「Ｂ」が消灯する。内面表示器１０については、遊技機群Ｂに対応する内面表示器１０のみが「Ｂ」を点灯したままとなり、それ以外の内面表示器１０は消灯する。
【００５０】
図８（ｃ）において、係員４１が、遊技機群Ｂに位置する要求装置６ｊに駆け付け、呼出ボタン１３を押すことによって、表示ランプ１４が消灯する。この時、遊技機群Ｂに対応する内面表示器１０は、依然「Ｂ」を点灯したままである。
【００５１】
図８（ｄ）において、係員４１が、遊技機群Ｂに位置する要求装置６ｇに駆け付け、呼出ボタン１３を押すことによって、表示ランプ１４が消灯し、遊技機群Ｂに対応する内面表示器１０に表示されていた「Ｂ」も併せて消灯する。
以上が１箇所の遊技島２において２台の要求装置６から要求信号が出された場合の、呼出装置１の動作状態である。なお、１箇所の遊技島２において２台以上の要求装置６から要求信号が出された場合も同様であるので説明を省略する。
【００５２】
前述のように、本発明の呼出装置１によれば、要求者３１等から要求信号が出された場合に、各遊技島２に設けられた外面表示器８及び内面表示器９，１０に、遊技機群Ａ〜Ｆを示す記号が、優先順位をつけて表示される。このことにより、どの順番で、どの遊技機群Ａ〜Ｆに要求者３１がいるかを、すぐに把握できる。そして、応対可能な係員４１等が、該当する遊技機群Ａ〜Ｆに対応する解除装置１６又は１７で解除信号を送信することで、外面表示器８及び内面表示器９，１０に表示されていた遊技機群を消去できる。すなわち、要求者３１に対して、応対可能な係員４１が向かったことを、遊技機群が消えたことで把握できる。その結果、他の係員が要求者３１の元に駆け付ける等の無駄な動きが生じない。
【００５３】
上記した実施形態では、外面表示器８及び内面表示器９，１０に遊技機群Ａ〜Ｆを表示させる例を示したが、本発明はこれに限定されるものではない。図９（ａ）に示すように、外面表示器８が通常表示をしている状態において、要求信号が出されてから所定の時間が経過すると、図９（ｂ）に示すように、該当する遊技機群のみを表示させても構わない。つまり、係員は、この表示を見ることにより、遊技機群Ａにいる要求者が非常に待たされていることを把握できる。
【００５４】
つぎに、本発明の別の実施形態に係る呼出装置１０１について説明する。呼出装置１０１は、呼出装置１と略同じ構成を有しており、図１０（ａ），（ｂ）以外の図示を省略する。
呼出装置１０１が有する表示装置１２は、外面表示器８及び内面表示器９，１０の替わりに、図１０（ａ），（ｂ）に示す外面表示器８０及び内面表示器９０，１００を備えている。
外面表示器８０及び内面表示器９０，１００は、文字や画像、映像等を表示可能な表示装置であり、液晶表示器で構成されている。すなわち、外面表示器８０及び内面表示器９０，１００は、入力される信号をそのまま表示可能な装置である。
【００５５】
外面表示器８０及び内面表示器９０，１００には、「遊技機群」を示す記号と「遊技機番台」を示す記号とが１組となって、１番から８番まで表示されている。
「遊技機群」を示す記号は図２に示した通りである。「遊技機番台」を示す記号については、図２に示した通り、各遊技機に一対で設けられている要求装置６ａ〜６ｆを「１番台」〜「６番台」として表現する。要求装置６ｇ〜６ｌについても同様に「１番台」〜「６番台」として表現する。例えば、図１０（ａ），（ｂ）に示したように、外面表示器８０及び内面表示器９０，１００のそれぞれの１番目に表示された「Ａ−３番台」とは、「遊技機群Ａ」における「遊技機３番台」（要求装置６ｃ）から要求信号が出されたことを意味する。
【００５６】
また、１番から８番まで割り振られた「番号」については、要求信号が出された順番を示すものである。つまり、複数の要求信号に対して、制御装置１５に到着した順番で優先順位をつけたものである。なお、表示させる番号の数ついては、任意に設定可能である。例えば、１番から２０番まで表示させる等しても構わない。
【００５７】
このような動作を外面表示器８０及び内面表示器９０，１００にさせるため、呼出装置１０１においては、制御装置１５が備えるマイクロコントローラ２３にプログラムが内蔵されている。このプログラムでは、遊技機群Ａ〜Ｆの各要求装置６ａ〜６ｌから出された要求信号を制御装置１５が受けると、どの遊技機群Ａ〜Ｆのどの要求装置６ａ〜６ｌから出された信号かを判断し、制御装置１５に到着した順番で優先順位をつけて記憶する。そして、該当する「番号」と、「遊技機群Ａ〜Ｆ」と、「１番台」〜「６番台」で示す「遊技機番台」を表示させる指令信号に変換して、表示装置１２に送信する。
なお、呼出装置１０１において、外面表示器８０及び内面表示器９０，１００に表示された「遊技機群」と「遊技機番台」は、呼出装置１と同様に、解除装置（解除手段）１６，１７を用いて、係員が消去できる。
【００５８】
上記した実施形態では、解除装置（解除手段）１６，１７として、ＩＣカード２７と磁気リーダー２８とを用いる例を示したが、本発明はこれに限定されるものではない。例えば、図１１に示すような送信装置５０を用いても構わない。送信装置５０は、表示画面５１と、番号ボタン５２と、決定ボタン５３とを備えたいわゆるリモコンである。係員は、番号ボタン５２より「遊技機群Ａ〜Ｆ」と「遊技機番台」を入力し、表示画面５１に表示された内容を確認して、決定ボタン５３を押す。すると、送信装置５０から電波となって送信される。この送信装置５０を用いることで、係員は対応可能と判断した瞬間に電波を送信することにより、磁気リーダー２８に到着するまでのタイムラグをなくすことができる。
なお、呼出装置１には、送信装置５０からの電波を受信可能なアンテナ等をつけていることとする。
【００５９】
上記した実施形態では、制御装置１５は遊技島２の天板６１に取り付けられる例を示したが、本発明はこれに限定されるものではない。例えば、制御装置１５を表示装置１２と一体化しても構わない。特に、制御装置１５は外面表示器８に組み込むことが好ましい。
【符号の説明】
【００６０】
１，１０１      呼出装置
３      内面（表面）
４      外面（裏面）
５      遊技機
７      妻板
１２      表示装置
１３      呼出ボタン（要求手段）
１６，１７      解除装置（解除手段）
２８      磁気リーダー
５０      送信装置
７０      張出部
Ａ〜Ｆ      遊技機群
【図１】
0005748467.tif 000002
【図２】
0005748467.tif 000003
【図３】
0005748467.tif 000004
【図４】
0005748467.tif 000005
【図５】
0005748467.tif 000006
【図６】
0005748467.tif 000007
【図７】
0005748467.tif 000008
【図８】
0005748467.tif 000009
【図９】
0005748467.tif 000010
【図１０】
0005748467.tif 000011
【図１１】
0005748467.tif 000012